(57)【特許請求の範囲】
【請求項１】
側板を横方向に折曲げ可能に連結した板状体を折曲げて組立てるとともに、前記側板の内の互いに対向する一対の側板の下端に底板を構成する外フラップが折曲げ可能に連設され、前記外フラップが連設された側板以外の他の側板の下端に複数の内フラップが折曲げ可能に連設され、前記内フラップを内側に折曲げ、該内フラップと重合うように外フラップを折曲げて底部開口を閉じるようにした箱であって、
前記外フラップおよび前記内フラップの対応する側板の下端との間の折曲げ位置に解体用破断線が形成され、
前記底板を構成する前記外フラップに切欠きが形成され、前記複数の内フラップの内の前記切欠きと重合う内フラップには両端がこの内フラップの前記側板との間の折曲げ線と交わる開口形成用破断線が形成され、前記内フラップの前記側板との間の折曲げ線と前記開口形成用破断線とによって囲まれる領域の少なくとも一部が前記外フラップを突合わせたときに前記切欠きによって形成される前記外フラップの開口内に露出し、
前記外フラップの開口内に露出する前記開口形成用破断線の内側の領域を内部に押込んで該開口形成用破断線を破断して前記内フラップに開口を形成し、該開口を介して前記解体用破断線によって前記外フラップおよび前記内フラップを除去すると底板が取外され、横方向に連結されている側板が扁平に折畳まれる包装箱。
【請求項２】
前記開口形成用破断線が前記切欠きによって形成される前記外フラップの開口の縁に沿ってその外側に位置する請求項１に記載の包装箱。
【請求項３】
前記内フラップの前記側板との間の折曲げ線と前記開口形成用破断線とによって囲まれる領域の外側の部分が前記外フラップの内表面に糊付けされている請求項１または請求項２に記載の包装箱。
【請求項４】
前記開口形成用破断線の一部が前記切欠きによって形成される前記外フラップの開口を横切る請求項１に記載の包装箱。
【請求項５】
前記内フラップの前記側板との間の折曲げ線と前記開口形成用破断線とによって囲まれる領域であって前記側板との間の折曲げ線に対して反対側の部分が前記外フラップと重合っている請求項１に記載の包装箱。
【請求項６】
前記内フラップの前記側板との間の折曲げ線と前記開口形成用破断線とによって囲まれる領域であって両側の部分が前記外フラップと重合っている請求項１に記載の包装箱。
【請求項７】
この包装箱の前記側板が、互いに対向する一対の長辺側側板と、互いに対向する一対の短辺側側板と、前記長辺側側板および前記短辺側側板よりも横方向の寸法が小さく前記長辺側側板および前記短辺側側板に対して斜めに前記長辺側側板と前記短辺側側板との間に配されているコーナ側板とを具備し、前記一対の長辺側側板の下端に底板を構成する前記外フラップが連設されるとともに、前記一対の短辺側側板の内の一方の短辺側側板の下端に前記開口形成用破断線が形成された内フラップが連設されている請求項１に記載の包装箱。
【請求項８】
この包装箱の前記側板が、横方向の寸法が互いに等しい６枚の側板から構成され、互いに対向する一対の前記側板の下端に底板を構成する前記外フラップが連設されるとともに、他の前記側板の下端に前記開口形成用破断線が形成された前記内フラップが連設されている請求項１に記載の包装箱。
【発明の詳細な説明】
【技術分野】
【０００１】
本発明は包装箱に係り、とくに横方向に連結された側板の内の互いに対向する一対の側板の下端に底板を構成する外フラップが折曲げ可能に連設され、しかも外フラップが連設された側板と直交するように配される他の一対の側板の下端に内フラップが折曲げ可能に連設され、内フラップを内側に折曲げ、この内フラップと重合うように外フラップを折曲げて底部開口を閉じるようにした包装箱に関する。
【背景技術】
【０００２】
段ボールを直方体状に組立てた包装箱が各種の物品の梱包や搬送のために広く用いられている。例えばＪＩＳ（日本工業規格）Ｚ１５０７には、各種の形態の段ボール製の包装箱の形式が記載されている。これらの包装箱の内、コード番号０２０１の包装箱は、４枚の側板を横方向に折曲げ可能に連結した板状体を折曲げて組立てられるようになっており、４枚の側板の内の互いに対向する一対の側板の上端および下端には、蓋板および底板を構成する外フラップが折曲げ可能に連設され、しかも上記４枚の側板の内の互いに対向する他の一対の側板の上端および下端に内フラップが折曲げ可能に連設されている。ここで下端側の内フラップを内側に折曲げ、この内フラップと重合うように下端側の外フラップを折曲げて底部開口が閉じられる。そして内容物を収納した後に、上端側の内フラップを内側に折曲げ、この内フラップと重合うように上端側の外フラップを折曲げることによって上部開口が閉じられるようになる。
【０００３】
このようなコード番号０２０１の段ボールから成る包装箱は、上面と下面とにそれぞれクラフトテープを貼着するか、接着剤によって封緘している。ここで蓋板側の開封方法については各種の考案が存在するものの、このような包装箱を使用した後にこれを解体するための方法については有効な提案がなされていない。
【０００４】
封緘方法としてホットメルトあるいはコールドグルーの接着剤を使用しているコード０２０１型の段ボールから成る包装箱を解体する場合には、底面側の底板を構成する外フラップの突合わせ部の隙間に指を入れ、接着部位を剥がすようにしている。隙間を設けるために指を差込むための切込み等の加工を施すことがあるが、内容物が脱落する危険性があるために、大きな切込みや切込みを形成する切断誘導部を設けることが困難である。とくに蓋板側の開封については問題がないものの、内容物の重量が加わる底板側にこのような解体方法を利用する場合には制約が発生する。また底板を構成する外フラップと内フラップの糊付け部を剥がす行為は変わらないために、接着力の強い接着剤を使用する場合に、剥がすために大きな力が必要になる。
【先行技術文献】
【特許文献】
【０００５】
【特許文献１】特開２００４−２６２５４９号公報
【特許文献２】特開２０１０−１５９０７０号公報
【発明の概要】
【発明が解決しようとする課題】
【０００６】
本願発明の課題は、使用した後に容易に解体することができる包装箱を提供することである。
【０００７】
本願発明の別の課題は、使用した後に解体すると、包装箱が偏平に折畳まれるようにした包装箱を提供することである。
【０００８】
本願発明の別の課題は、使用した後に、底板を除去して解体できるようにした包装箱を提供することである。
【０００９】
本願発明のさらに別の課題は、使用した後に、底板側の所定の部位に手を入れて底板を側板から分離して解体することができるようにした包装箱を提供することである。
【００１０】
本願発明の上記の課題および別の課題は、以下に述べる本願発明の実施の形態によって明らかにされる。
【課題を解決するための手段】
【００１１】
本願の主要な発明は、側板を横方向に折曲げ可能に連結した板状体を折曲げて組立てるとともに、前記側板の内の互いに対向する一対の側板の下端に底板を構成する外フラップが折曲げ可能に連設され、前記外フラップが連設された側板以外の他の側板の下端に複数の内フラップが折曲げ可能に連設され、前記内フラップを内側に折曲げ、該内フラップと重合うように外フラップを折曲げて底部開口を閉じるようにした箱であって、
前記外フラップおよび前記内フラップの対応する側板の下端との間の折曲げ位置に解体用破断線が形成され、
前記底板を構成する前記外フラップに切欠きが形成され、前記複数の内フラップの内の前記切欠きと重合う内フラップには両端がこの内フラップの前記側板との間の折曲げ線と交わる開口形成用破断線が形成され、前記内フラップの前記側板との間の折曲げ線と前記開口形成用破断線とによって囲まれる領域の少なくとも一部が前記外フラップを突合わせたときに前記切欠きによって形成される前記外フラップの開口内に露出し、
前記外フラップの開口内に露出する前記開口形成用破断線の内側の領域を内部に押込んで該開口形成用破断線を破断して前記内フラップに開口を形成し、該開口を介して前記解体用破断線によって前記外フラップおよび前記内フラップを除去すると底板が取外され、横方向に連結されている側板が扁平に折畳まれる包装箱に関するものである。
【００１２】
ここで、前記開口形成用破断線が前記切欠きによって形成される前記外フラップの開口の縁に沿ってその外側に位置してよい。また前記内フラップの前記側板との間の折曲げ線と前記開口形成用破断線とによって囲まれる領域の外側の部分が前記外フラップの内表面に糊付けされてよい。ここで糊付けには、ホットメルト等の接着剤による接合を含むものとする。また前記開口形成用破断線の一部が前記切欠きによって形成される前記外フラップの開口を横切るようにしてよい。また前記内フラップの前記側板との間の折曲げ線と前記開口形成用破断線とによって囲まれる領域であって前記側板との間の折曲げ線に対して反対側の部分が前記外フラップと重合っていてよい。また前記内フラップの前記側板との間の折曲げ線と前記開口形成用破断線とによって囲まれる領域であって両側の部分が前記外フラップと重合っていてよい。
【００１３】
また、この包装箱の前記側板が、互いに対向する一対の長辺側側板と、互いに対向する一対の短辺側側板と、前記長辺側側板および前記短辺側側板よりも横方向の寸法が小さく前記長辺側側板および前記短辺側側板に対して斜めに前記長辺側側板と前記短辺側側板との間に配されているコーナ側板とを具備し、前記一対の長辺側側板の下端に底板を構成する前記外フラップが連設されるとともに、前記一対の短辺側側板の内の一方の短辺側側板の下端に前記開口形成用破断線が形成された内フラップが連設されてよい。またこの包装箱の前記側板が、横方向の寸法が互いに等しい６枚の側板から構成され、互いに対向する一対の前記側板の下端に底板を構成する前記外フラップが連設されるとともに、他の前記側板の下端に前記開口形成用破断線が形成された前記内フラップが連設されてよい。
【発明の効果】
【００１４】
本願の主要な発明は、側板を横方向に折曲げ可能に連結した板状体を折曲げて組立てるとともに、前記側板の内の互いに対向する一対の側板の下端に底板を構成する外フラップが折曲げ可能に連設され、前記外フラップが連設された側板以外の他の側板の下端に複数の内フラップが折曲げ可能に連設され、前記内フラップを内側に折曲げ、該内フラップと重合うように外フラップを折曲げて底部開口を閉じるようにした箱であって、
前記外フラップおよび前記内フラップの対応する側板の下端との間の折曲げ位置に解体用破断線が形成され、
前記底板を構成する前記外フラップに切欠きが形成され、前記複数の内フラップの内の前記切欠きと重合う内フラップには両端がこの内フラップの前記側板との間の折曲げ線の両端と交わる開口形成用破断線が形成され、前記内フラップの前記側板との間の折曲げ線と前記開口形成用破断線とによって囲まれる領域の少なくとも一部が前記外フラップを突合わせたときに前記切欠きによって形成される前記外フラップの開口内に露出する包装箱に関するものである。
【００１５】
従ってこのような包装箱によれば、底板を構成する外フラップの切欠きによって形成される開口内に露出する内フラップの側板との間の折曲げ線と開口形成用破断線とによって囲まれる領域の少なくとも一部を押すことによって、内フラップが開口形成用破断線に沿って破断される。従ってこの破断された部位を通して外フラップの内側に手を入れて外フラップを外方に引くと、外フラップおよび内フラップの対応する側板の上端または下端との間の折曲げ位置に形成された解体用破断線によって外フラップおよび内フラップが破断され、外フラップと内フラップとが一緒になって側板から分離されることになる。従ってこれにより、底部開口を閉じる底板が側板から分離された状態で包装箱が解体されるようになる。とくに横方向に連結された側板の部分は、角筒を押潰したように偏平に折畳まれるために、解体されると偏平な状態になり、その処理および処分が容易になるとともに、保管する際にスペースを要しなくなる。
【図面の簡単な説明】
【００１６】
【図１】包装箱を組立てるための打抜かれた段ボールの展開平面図である。
【図２】同包装箱の組立て斜視図である。
【図３】組立てられた包装箱を上下逆様にした状態の斜視図である。
【図４】同包装箱の底面図である。
【図５】内フラップの開口形成用破断線の部分を破断した状態の斜視図である。
【図６】開口形成用破断線を破断した後に外フラップから成る底板を内フラップと一緒に解体用破断線に沿って破断する状態を示す斜視図である。
【図７】解体された包装箱の外観斜視図である。
【図８】変形例の包装箱の図４と同様の底面図である。
【図９】さらに別の変形例の図４と同様の底面図である。
【図１０】別の実施の形態の包装箱を組立てるための段ボールの展開平面図である。
【図１１】組立てられた包装箱の上下を逆様にした状態の外観斜視図である。
【図１２】同包装箱の底面図である。
【図１３】さらに別の実施の形態の包装箱を組立てるための段ボールの展開平面図である。
【図１４】同組立てられた包装箱の上下を逆様にした状態の外観斜視図である。
【図１５】同包装箱の底面図である。
【発明を実施するための形態】
【００１７】
以下本願発明を図示の実施の形態によって説明する。図１は本実施の形態の包装箱を組立てるために打抜かれた段ボールの展開平面図を示しており、この段ボール１０は、横方向に沿って長辺側側板１１、短辺側側板１２、長辺側側板１３、短辺側側板１４を備え、これらの側板１１〜１４が折曲げ線１５を介して折曲げ可能に連結されている。また左端の長辺側側板１１の左端には折曲げ線１６を介して接合片１７が連設されている。
【００１８】
次に上記長辺側側板１１、１３の上端には、折曲げ線２１を介して蓋板２２が連設されている。これらの蓋板２２の突出長は、上記短辺側側板１２、１４の幅の半分の値になっており、閉じたときに互いに突合わされるようになっている。また短辺側側板１２、１４の上端には、折曲げ線２３を介して内フラップ２４が折曲げ可能に連設されている。
【００１９】
長辺側側板１１、１３の下端には、破断線を兼ねた折曲げ線２５を介して底板２６が折曲げ可能に連設されている。これらの底板２６の突出長は、短辺側側板１２、１４の幅の半分の値になっており、底板２６を互いに閉じたときにそれらの先端部が突合わされるようになっている。また短辺側側板１２、１４の下端には、破断線を兼ねた折曲げ線２８を介して内フラップ２９、３０がそれぞれ折曲げ可能に連設されている。
【００２０】
さらにこの段ボール１０は、下端側の底板２６の片側の肩の部位に切欠き３２が形成されている。また短辺側側板１２の下側に連設された内フラップ２９には、開口形成用破断線３３がほぼＵ字状に折曲って形成されている。この開口形成用破断線３３の両端は、上記破断線を兼ねた折曲げ線２８に一致している。また下側の内フラップ２９、３０には、それぞれホットメルトまたはコールドグルーから成る糊３５が４条にわたって形成されており、底部を閉じる際にこれらの糊３５によって内フラップ２９、３０と底板２６とを互いに糊付けするようにしている。
【００２１】
図２は図１に示す段ボール１０を折曲げて組立てられた包装箱を示している。段ボール１０によって包装箱を組立てる場合には、折曲げ線１５に沿って４枚の側板１１、１２、１３、１４を互いに四角筒状に折曲げる。そして折曲げ線１６の先端側の接合片１７を反対側の短辺側側板１４の端部に接合して糊付けする。この後に外表面の所定の位置に４条にわたって糊３５が塗布された内フラップ２９、３０を内側に折曲げるとともに、さらにその外側に底板２６を折曲げるようにし、底板２６の内表面と内フラップ２９、３０の外表面とを互いに糊付けして接合する。それによって底部開口が図２に示すように底板２６および内フラップ２９、３０によって閉じられるようになる。
【００２２】
このような包装箱の特徴は、図３および図４に示すように、この包装箱を上下逆様にした場合に、底板２６の一方の肩の部分に形成されている切欠き３２が互いに整合し、これによってほぼＵ字状の破断用開口３６が形成されることである。このような破断用開口３６は、底板２６と重合う内フラップ２９によって閉じられている。ここで内フラップ２９には上記破断用開口３６の外縁よりもやや外側に沿って延びるように開口形成用破断線３３が延びて形成されている。そしてこの開口形成用破断線３３が破断されない状態においては、上記破断用開口３６は内フラップ２９によって閉じた状態になっている。
【００２３】
この包装箱を使用した後に解体をする場合には、図５に示すように、底板２６の切欠き３２から成る破断用開口３６の部分の内フラップ２９を強く内側へ押す。するとこの内フラップ２９の開口形成用破断線３３の部分が破断される。従って図６に示すように、開口形成用破断線３３によって内フラップ２９が破断されて破断用開口３６が開放された状態で、この破断用開口３６の部分に手を入れ、内フラップ２９が内側に糊付けされたままの底板２６を上方に引張る。すると底板２６および内フラップ２９、３０は、破断線を兼ねた折曲げ線２５および２８に沿って破断される。すなわちこの包装箱は、図７に示されるように、底の部分が完全に４枚の側板１１〜１４から分離された状態になる。
【００２４】
このように、内フラップ２９の開口形成用破断線３３によってこの内フラップ２９の一部を破断して破断用開口３６を形成し、この開口３６を利用して底板２６と内フラップ２９とを一緒に破断して除去すると、包装箱は図７に示すような状態になり、４枚の側板１１〜１４には蓋板２２と上端側の内フラップ２４とが連結された四角筒状の状態になる。従って、折曲げ線１５のところで長辺側側板１１、１３と短辺側側板１２、１４とを真直ぐにすることにより、偏平に折畳まれる。また底板２６はその内側の内フラップ２９、３０と連結された状態で偏平な板状体のままで分離される。また、内フラップ２９の開口形成用破断線３３によって破断されたＵ字状の部分もまた内フラップ２９の根元部分の破断線を兼ねた折曲げ線２８のところで短辺側側板１２から分離されることになる。
【００２５】
このように本実施の形態の包装箱は、底板２６と重合う内フラップ２９から容易に穴があけられるように開口形成用破断線３３をこの内フラップ２９に形成している。底板２６の切欠き３２から成る破断用開口３６は、箱の大きさに応じて、一部の指が入る大きさ、大部分の指が入る大きさ、片手が入る大きさ、あるいは両手が入る大きさ等の適宜の値を採用することができる。ここで内容物の重量によって開口形成用破断線３３の部分が破れないように、開口形成用破断線３３は、底板２６の切欠き３２から成る破断用開口３６よりも外側に沿って形成されており、通常の梱包状態においては開口形成用破断線３３は外に露出していない（図３、図４参照）。
【００２６】
糊剤や接着剤の発達によって、底板２６を閉じる糊剤３５として、極めて接着力の強いホットメルトやコールドグルー等が使用される傾向にあるが、強い接着力を有する糊３５を用いた場合においても、使用済みの包装箱を容易に解体することができ、その際に大きな力を要することはない。
【００２７】
次に変形例を図８により説明する。この変形例においては、底板２６の切欠き３２によって形成される破断用開口３６に対して、内フラップ２９の開口形成用破断線３３の一部が露出するようになっており、破断用開口３６と開口形成用破断線３３とがそれらの一部が互いに交差するようにしている。このような構成によると、破断用開口３６を介して内フラップ２９の開口形成用破断線３３の部分を破断する際の力が軽減されることになる。
【００２８】
図９はさらに別の実施の形態を示しており、ここでは底板２６の切欠き３２から成る破断用開口３６に対して、開口形成用破断線３３が内フラップ２９の先端側の部分において破断用開口３６内に露出するようにしている。この場合においても、開口形成用破断線３３が破断用開口３６に露出しているために、この開口形成用破断線３３によって内フラップ２９の一部を破断する作業の際における力を軽減することが可能になる。
【００２９】
次に別の実施の形態を図１０〜図１２によって説明する。この実施の形態は、包装箱のコーナの部分が斜めのコーナ側板４０によって構成され、８角形の形状をなす包装箱に関するものである。なお基本的な構成は上記第１の実施の形態と同様なので、相違する部分のみを説明する。
【００３０】
この実施の形態においては、図１０に示すように、横方向に互いに連結される長辺側側板１１、１３と短辺側側板１２、１４との間に、コーナ側板４０が配されるようになっている。すなわち長辺側側板１１と短辺側側板１２との間、短辺側側板１２と長辺側側板１３との間、長辺側側板１３と短辺側側板１４との間にはそれぞれコーナ側板４０が配されており、折曲げ線１５を介して折曲げ可能に連結される。短辺側側板１４の右端にはさらに折曲げ線１５を介してコーナ側板４０が連結される構造になっている。
【００３１】
しかも長辺側側板１１、１３の下端にはそれぞれ一側部に切欠き３２を備える外フラップ２６が破断線を兼ねた折曲げ線２５を介して連結されている。また短辺側側板１２、１４の下端には、破断線を兼ねた折曲げ線２８を介して内フラップ２９、３０が連設されている。そして一方の内フラップ２９には、開口形成用破断線３３が形成されている。
【００３２】
このような段ボール１０を折曲げて組立てると、図１１に示すような８角形の包装箱が組立てられる。ここで底板２６を構成する外フラップの切欠き３２によって破断用開口３６が形成されるとともに、この開口３６の内側に位置する内フラップ２９の開口形成用破断線３３の内側の領域が上記破断用開口３６に臨むようになる。なお図１２から明らかなように、開口形成用破断線３３の一部は、破断用開口３６の中に露出している。
【００３３】
従って上記破断用開口３６の部分であって開口形成用破断線３３の内側の部分を押すことによって、内フラップ２９の開口形成用破断線３３が破断され、これによって開口が形成される。従って内フラップ２９、３０が内側に糊付けされた外フラップ２６から成る底板が内フラップ２９、３０とともに、破断線を兼ねた折曲げ線２５、２８のところで破断されて底部が完全に分離されるようになり、これによって上記第１の実施の形態と同様の解体が可能になる。
【００３４】
次に別の実施の形態を図１３〜図１５によって説明する。この実施の形態に係る包装箱は、図１３に示す段ボール４４を折曲げて組立てられる。
【００３５】
図１３の段ボール４４によって組立てられる包装箱は、横方向の寸法が互いに等しい６枚の側板４５、４６、４７、４８、４９、５０を備えており、これらが折曲げ線５１を介して互いに折曲げ可能に連結されている。そして左端の側板４５の端部にはさらに折曲げ線５２を介して接合片５３が折曲げ可能に連結されている。
【００３６】
側板４６、４９の上端には、折曲げ線５５を介して台形状の蓋板５６が折曲げ可能に連結されている。また側板４５、４７、４８、５０の上端には折曲げ線５７を介して内フラップ５８が折曲げ可能に連結されている。また側板４６、４９の下端には、破断線を兼ねた折曲げ線５９によって底板６０が折曲げ可能に連結されている。また側板４５、４８の下端には、破断線を兼ねた折曲げ線６１を介して内フラップ６２、６３がそれぞれ連結されている。上記底板６０の側部には切欠き６５が形成されている。また底板６３には開口形成用破断線６６が形成されている。
【００３７】
このような構成に係る段ボール４４を組立てると、図１４に示すような６角形の包装箱が形成される。ここで図１４は、上下逆様にして底面を上側にし、とくに底板６０に形成される切欠き６５による破断用開口６７を露出した状態を示している。なお図１５に示すように、内フラップ６２、６３は底板６０に対して、糊６８によって接合されている。
【００３８】
このような包装箱においても、上記底板６０の切欠き６５によって破断用開口６７が形成されるようになり、この破断用開口６７と重なるように配される内フラップ６３には開口形成用破断線６６が形成されている。従って破断用開口６７の部分を強く内側へ押込むと、内フラップ６３の開口形成用破断線６６が破断されて開口が形成されることになる。従ってこの開口を利用して内フラップ６２、６３が糊６８によって接合された底板６０を上方に引くことによって、底板６０、内フラップ６２、６３が破断線を兼ねた折曲げ線５９、６１のところで完全に側板４５〜５０から分離されることになり、これによって包装箱が解体される。従ってこのような構成においても、上記実施の形態と同様の作用効果を奏することが可能になる。
【００３９】
以上本願発明を図示の実施の形態によって説明したが、本願発明は上記実施の形態によって限定されることなく、本願発明の技術的思想の範囲内において各種の変更が可能である。例えば底板２６に形成される切欠き３２から成る破断用開口３６の形状や、あるいはまた内フラップ２９の開口形成用破断線３３の位置については、包装箱内に入れる物品の重量等に応じて各種の設計変更が可能である。
【産業上の利用可能性】
【００４０】
本願発明の包装箱は、各種の物品を入れて運搬したり保管したりする際に用いられる段ボール製の包装箱に広く利用可能である。
【符号の説明】
【００４１】
１０  段ボール
１１  長辺側側板
１２  短辺側側板
１３  長辺側側板
１４  短辺側側板
１５、１６  折曲げ線
１７  接合片
２１  折曲げ線
２２  蓋板
２３  折曲げ線
２４  内フラップ
２５  破断線を兼ねた折曲げ線
２６  底板
２８  破断線を兼ねた折曲げ線
２９、３０  内フラップ
３２  切欠き
３３  開口形成用破断線
３５  糊
３６  破断用開口
４０  コーナ側板
４４  段ボール
４５〜５０  側板
５１、５２  折曲げ線
５３  接合片
５５  折曲げ線
５６  蓋板
５７  折曲げ線
５８  内フラップ
５９  破断線を兼ねた折曲げ線
６０  底板
６１  破断線を兼ねた折曲げ線
６２、６３  内フラップ
６５  切欠き
６６  開口形成用破断線
６７  破断用開口
６８  糊
【図１】
0005918473.tif 000002
【図２】
0005918473.tif 000003
【図３】
0005918473.tif 000004
【図４】
0005918473.tif 000005
【図５】
0005918473.tif 000006
【図６】
0005918473.tif 000007
【図７】
0005918473.tif 000008
【図８】
0005918473.tif 000009
【図９】
0005918473.tif 000010
【図１０】
0005918473.tif 000011
【図１１】
0005918473.tif 000012
【図１２】
0005918473.tif 000013
【図１３】
0005918473.tif 000014
【図１４】
0005918473.tif 000015
【図１５】
0005918473.tif 000016